Podtech/llm-jp-corpus-v4-ja_patent huggingface dataset:
(57)【要約】      （修正有）【課題】分離可能なゴミ袋を設けた携帯ティッシュペーパーを提供する。【解決手段】携帯ティッシュペーパーの取り出し口裏面に、防水加工されたゴミ袋を取り外し可能に取り付け、使用後のゴミをゴミ袋に収容し、ゴミが溜まったらゴミ袋を取り外し捨てる。【選択図】図３
0003177026.tif 000002
【実用新案登録請求の範囲】
【請求項１】
携帯ティッシュ等（ウエットティッシュ等含む）に分離可能なゴミ袋およびケースが一体となったもの。
【請求項２】
携帯ティッシュ等（ウエットティッシュ等含む）分離可能なゴミ袋は中身が出ないように加工されているもの
【考案の詳細な説明】
【技術分野】
【０００１】分離可能なゴミ袋を設けた携帯ティッシュペーパーに関するもの
【背景技術】
【０００２】外出先などで携帯ティッシュペーパーを使用した後に出るゴミは近くにゴミ箱が無い場合は元のティッシュペーパーの容器に入れたり、そのままポケットに入れるなど処理に困るケースが多い。ひどい場合その場で捨ててしまうケースも考えられる。
近年の花粉症、風邪などでは大量に使用する為ゴミも大量に発生し衛生面からも大きな問題と考えられる。【０００３】また風邪、インフルエンザなどの感染症にかかっている場合、鼻水や痰が付着したゴミを公園、公共機関内等でのゴミ箱に廃棄した場合感染を広げてしまう恐れがある。
また使用後のゴミを入れて膨らんだ携帯ティッシュを人前で再度取り出すのは気が引けるといった事態も考えられる。
【考案の概要】
【考案が解決しようとする課題】
【０００４】携帯ティッシュ使用後に出るゴミの処理
【課題を解決するための手段】
【０００５】携帯ティッシュ使用後に出るゴミを袋に入れて処理出来る様にするために携帯ティッシュペーパーの袋に分離可能な防水加工済みのゴミ袋取り付ける。
【考案の効果】
【０００６】使用後のゴミを付属のゴミ袋に入れることが可能になったことで、鼻水、痰等が付着したゴミを他に付着することなく処理できる。
分離できることでゴミ袋のみを分けてカバン、ポケットに入れることが可能になりゴミだけを処理できる。
加えてゴミ箱に鼻水、痰等が付着することも無いため感染症の拡大防止の効果も考えられる。
【図面の簡単な説明】
【０００７】
【図１】外観図
【図２】ゴミ袋本体図
【図３】携帯ティシュペーパーから分離した形の図
【図４】ゴミ袋を２枚携帯ティッシュペーパーに取り付けた形の外観図（横から）
【考案を実施するための形態】
【０００８】携帯用ティッシュペーパーを取り出し口の裏面に防水加工がされたゴミ袋がついている。これは取り外しが可能になっている。ティッシュ使用後のゴミをここに入れゴミが溜まったらゴミ袋のみを取り外し捨てる。近くに捨てる所が無い場合はポケットやカバンに入れたり手に持って移動する事が出来る。
またゴミ袋は複数枚付属していて状況において気軽に捨てる事が出来るようにするのがより良い形態と考える。
ゴミ袋は防水加工を施しなお且つフタを密閉する事が可能でゴミ袋から使用した鼻水、痰等が染み出さないものにする。
【実施例】
【符号の説明】
【０００９】１    ゴミ袋本体
２    携帯用ティッシュ本体
３    フタ
４    ゴミ入れ口
５    ゴミ袋本体
６    携帯用ティッシュ本体
７    携帯用ティッシュ本体
８    ゴミ袋１
９    ゴミ袋２
１０  ゴミ袋２はがし口
１１  ゴミ袋１はがし口
【図１】
0003177026.tif 000003
【図２】
0003177026.tif 000004
【図３】
0003177026.tif 000005
【図４】
0003177026.tif 000006
【手続補正書】
【提出日】平成24年4月21日(2012.4.21)
【手続補正１】
【補正対象書類名】実用新案登録請求の範囲
【補正対象項目名】全文
【補正方法】変更
【補正の内容】
【実用新案登録請求の範囲】
【請求項１】
分離可能なゴミ袋が一体となっている携帯ティッシュ
(57)【要約】      （修正有）【課題】位牌の下土台の部分に、箱・引出・引出箱をつけ、その中に亡くなられた方の火葬された骨を納めるようにした位牌を提供する。【解決手段】位牌の下土台の部分に納骨箱、又は、引出箱２を付けて位牌を形成する。位牌の土台の部分は大きさが、横９．５ｃｍＸ奥行き３．５ｃｍＸ高さ３．５ｃｍとする。箱、引出の板の厚さを０．５ｃｍとすると箱の容量は横（８．５ｃｍ）Ｘ奥（３ｃｍ）Ｘ高さ（３ｃｍ）となり、納骨の理想とする咽仏を入れることができる。さらに、骨を箱、引出、引出箱に納めたら蓋、引出等が開かない様に接着テープ、又は釘、ネジ等で固定する。骨は直接入れるのでなく和紙・半紙に包む、又は、和紙・半紙で作った紙袋（封筒）等に入れてから箱に入れる。【選択図】図３
0003177029.tif 000002
【実用新案登録請求の範囲】
【請求項１】
位牌に火葬された骨を納める為の納骨箱、引出式箱、引出を付ける。
【考案の詳細な説明】
【考案の詳細な説明】
亡くなられた方の火葬された骨を納める、箱・引出箱を付けた位牌で箱の大きさは理想として咽仏が入る大きさで良いと思われます。
長年一緒に暮して来た、連添い、兄弟・家族の火葬された骨を納骨入箱付位牌に入れ位牌を仏壇の中に置き、毎日仏壇に供養物（ご飯・お茶）を供えて朝夕拝みます身近に感じ、よりいっそうの供養に成ると思います。
現在は、お坊さんが付けた戒名の書かれた位牌を仏壇に置き、毎日供養物を供えて朝夕拝んでいますが実際に当人の骨の入った位牌に向かって拝むので身近に感じ身が入りいっそうの供養になると思います。
都内の方は墓が近くにある方は少ないと思われます。墓参りに電車、バスを乗継、行き、帰りに、１時間、２時間以上掛けて行く、駅の階段の登り降りに高齢者は大変な苦労だと思います。墓参りが大変な苦労になる。身近な仏壇に納骨入位牌が有る事で毎日拝む張り合いが有ると思います。
【図面の簡単な説明】  ［図１］［図７］［図９］本考案の斜視図である。
【図１】  本考案の位牌を前から見た図である。
【図２】  本考案の右側面図の図である。
【図３】  本考案の位牌を裏から見た図である。
【図４】  図２の符号２を引出した図である。
【図５】  図４の符号２の斜視図である。
【図６】  図１の符号１を箱にした左側面図の図である。
【図７】  図６の符号５と上の蓋（符号１２）を離した図である。
【図８】  図１の符号１に裏蓋付箱（符号８）を付けた左側面図の図である。
【図９】  図８の符号９を開けた図である。
【符号の説明】  １は、火葬した骨を入れる箱、引出箱、引出を付ける所。
２は、火葬した骨を入れる引出箱（容器）。
３は、引出箱を引出す方向を表す矢印。
４は、引出を開ける時に手を掛けるくぼみ。
５は、火葬した骨を入れる箱（容器）。
６は、箱と蓋を両面接着テープで貼り付ける所。
７は、釘、ネジ等で箱と蓋を止める所。
８は、裏蓋付箱。
９は、裏蓋付箱の蓋。
１０は、箱と蓋を接着テープで貼り付ける所。
１１は、蓋が中に入らない様に止める添え木（サン）。
１２は、火葬した骨を入れる箱（符号５）の蓋。
【図１】
0003177029.tif 000003
【図２】
0003177029.tif 000004
【図３】
0003177029.tif 000005
【図４】
0003177029.tif 000006
【図５】
0003177029.tif 000007
【図６】
0003177029.tif 000008
【図７】
0003177029.tif 000009
【図８】
0003177029.tif 000010
【図９】
0003177029.tif 000011
【手続補正書】
【提出日】平成24年4月25日(2012.4.25)
【手続補正１】
【補正対象書類名】実用新案登録請求の範囲
【補正対象項目名】全文
【補正方法】変更
【補正の内容】
【実用新案登録請求の範囲】
【請求項１】
位牌に火葬した骨を納める骨入れ箱を付けたことを特徴とする納骨箱付位牌。
(57)【要約】      （修正有）【課題】簡単に製造でき、携帯性、運搬製の良い車止めコンクリート容器を提供する。【解決手段】透明樹脂を素材とし、軽くて持ち運びしやすく、そのまま、コンクリートを内部に流し込み硬化した後、出来形を取り外す際、簡単に、めくり外し処分することができ、長方形の箱型状のもので、１ヶ所コンクリートを流し込む際の開口部を有する。【選択図】図１
0003177027.tif 000002
【実用新案登録請求の範囲】
【請求項１】
長方形の箱型上のもので、透明ペットボトル、樹脂系を素材とする、１ヶ所コンクリートを流し込む際の開口部を有する、車止めコンクリート容器。
【請求項２】
素材を、透明ペットボトル系で、剥ぎ取り口を有し、めくり剥ぎ取るように脱容器することが出来る、請求項１記載の、車止めコンクリート容器。
【請求項３】
据付設置時、ボルト固定を２ヶ所止めるために、車止めのボルト固定用筒型スリーブ部分が、設置時の上部面より、低板までを、結ぶように鉛直に２ヶ所あり、透明ペットボトル系容器本体と、一体となっている、請求項１〜２記載の、車止めコンクリート容器。
【請求項４】
上記記載の、車止めのボルト固定部分筒型状スリーブを定位置に備え付ける場合に、車止め据付設置側の筒型状スリーブ径を設置時の上部面より、低板部分を細くすることで脱容器を安易にできることを目的とする、請求項１〜３記載の、車止めコンクリート容器。
【請求項５】
コンクリート流し込み側の開口部の、全周囲先端部分が、変形防止用補強アール面取り形状のついた、請求項１〜４記載の、車止めコンクリート容器。
【請求項６】
車輪乗り上げアール形状接地表面で、先に車重が加わることで、車止め車輪回転により跳ばされないようにされたアール形状下方部に連続突起のある、請求項１〜５記載の、車止めコンクリート容器。
【請求項７】
容器には、目立つように着色してあるものもある、請求項１〜６記載の、車止めコンクリート容器。
【考案の詳細な説明】
【技術分野】
【０００１】  本考案は、車止めなど、コンクリート製品を作る際、鉄製又は、木製が、が主である。
【背景技術】
【０００２】  簡易的にコンクリート製品を作る為に考案しました。【０００３】
【先行技術文献】
【特許文献】
【０００４】
【特許文献１】特開  ２０１１−１１６３１３
【考案の概要】
【考案が解決しようとする課題】
【０００５】  解決しようとする問題点は、簡単に又、安価に、製品を作ることである。
【課題を解決するための手段】
【０００６】  ペットボトル系、などの樹脂系、軽量で、軟らかく、硬さも備えており、かつ、透明である、素材とし、簡易的に製造し、携帯性、運搬性をよくする。
【考案の効果】  ペットボトル系容器とし、携帯性をよくして、残り物のコンクリートにて誰でも製作することができるため材料費は安価に済む。
【図面の簡単な説明】
【０００７】
【図１】車止めコンクリート用透明ペットボトル容器の姿図のコンクリート流し込み状態説明図である。
【図２】車止めコンクリートペットボトル系容器の使用状態の、断面図であり、車輪乗り上げアール形状接地表面の、先に車重が加わることで、車止め車輪回転により跳ばされないようにされたアール形状下方部突起あり。
【考案を実施するための形態】
【０００８】  車止め形状、透明ペットボトル系容器の小口開口部を、上部側としコンクリートを流し込み、内、外部より気泡、及びムラをなくすため、振動を加えて形成を整え、状態に応じて、硬化を待ち、ペットボトルを剥ぎ取り使用する、容器には、目立つように、色を着色したものもある。
【符号の説明】
【０００９】ａ，車止め透明ペットボトル系容器、コンクリート流し込み状態
ｂ，ボルト固定用スリーブあな、容器部分、２ヶ所あり
ｃ，コンクリート流し込み口、周り補強及び、化粧面取り形状部分
ｄ，コーナー部分アール面取り形状
ｅ，ペットボトル容器剥ぎ取り用、開け口
ｆ，車輪乗り上げアール形状接地表面、先に車重が加わることで、車輪回転により跳ばされないようにされたアール形状下方部の突起
【図１】
0003177027.tif 000003
【図２】
0003177027.tif 000004
【手続補正書】
【提出日】平成24年4月23日(2012.4.23)
【手続補正１】
【補正対象書類名】実用新案登録請求の範囲
【補正対象項目名】全文
【補正方法】変更
【補正の内容】
【実用新案登録請求の範囲】
【請求項１】
長方形の箱型状のもので、透明樹脂を素材とする、１ヶ所コンクリートを流し込む際の開口部を有する、車止めコンクリート容器。
【請求項２】
素材を、透明樹脂で、剥ぎ取り口を有し、めくり剥ぎ取るように脱容器することが出来る、請求項１記載の、車止めコンクリート容器。
【請求項３】
据付設置時、ボルト固定を２ヶ所止めるために、車止めのボルト固定用筒型スリーブ部分が、設置時の上部面より、低板までを、結ぶように鉛直に２ヶ所あり、透明樹脂容器本体と、一体となっている、請求項１〜２記載の、車止めコンクリート容器。
【請求項４】
上記車止めのボルト固定用筒型スリーブ部分を定位置に備え付ける場合に、車止め据付設置側の筒型状スリーブ径を設置時の上部面より、低板部分を細くすることで脱容器を安易にできることを目的とする、請求項３記載の、車止めコンクリート容器。
【請求項５】
コンクリート流し込み側の開口部の、全周囲先端部分が、変形防止用補強アール面取り形状のついた、請求項１〜４記載の、車止めコンクリート容器。
【請求項６】
車輪乗り上げアール形状接地表面で、先に車重が加わることで、車止め車輪回転により跳ばされないようにされたアール形状下方部に連続突起のある、請求項１〜５記載の、車止めコンクリート容器。
【請求項７】
容器が、目立つように着色されている、請求項１〜６記載の、車止めコンクリート容器。
(57)【要約】      （修正有）【課題】的となる所に正面から照射できる懐中電灯を提供する。【解決手段】懐中電灯の電球に、伸縮延長管及び、フレキシブルパイプを取り付ける。【選択図】図１
0003177028.tif 000002
【実用新案登録請求の範囲】
【請求項１】
懐中電灯の電球「ライト」に伸縮延長菅、及び自在フレキパイプを取り付けた懐中電灯
【考案の詳細な説明】
【技術分野】
【０００１】本考案は、懐中電灯に関するものであり、懐中電灯の電球「ライト」に工夫を加える事によつて、電球「ライト」が伸び縮む。左右に向きが自由自在に動き光を的に正面から照射して、目的を解決するものである。
【背景技術】
【０００２】従来の懐中電灯は電球「ライト」は固定されている。
【考案の開示】
【考案が解決しようとする課題】
【０００３】    しかし、これでは、懐中電灯を持つたままでは作業が出来ない、懐中電灯を地面、又は台の上に置くと光が的となる所に正面から当らない、これは電球「ライト」が固定されている為である。
【課題を解決するための手段】
【０００４】そこで、懐中電灯の電球「ライト」に伸縮延長菅及び自在フレキパイプを取り付けて、電球「ライト」が伸び縮みそして、電球「ライト」が左右上下と動くことによつて、光が的となる所に正面から照射できる。
【考案の効果】  よつて、本考案の懐中電灯によつて、電球「ライト」の光が的となる所に斜めに光が当るこがなくなる。また、電球「ライト」が伸び縮みそして、左右上下と動くことによつてあらゆる角度から的となる所に正面から照射できる。
【考案を実施するための最良の形態】
【０００５】  本考案に係る懐中電灯１は、図１に示すように、電球「ライト」４を懐中電灯１から伸縮延長菅２及び自在フレキパイプ３の先にある。このように、電球「ライト」４に伸縮延長菅２及び自在フレキパイプ３を、付けて電球「ライト」４が、伸び縮みそして、左右上下と動くことによつてあらゆる角度から的となる所に正面から照射できる。【０００６】なお、本考案は、あらゆる電球「ライト」に応用しても良い。
【図面の簡単な説明】
【０００７】
【図１】本考案の正面図
【図２】従来の懐中電灯の断面図
【符号の説明】
【０００８】１  懐中電灯
２  伸縮延長菅
３  自在フレキパイプ
４  電球「ライト」
５  乾電池
６  スイッチ
【図１】
0003177028.tif 000003
【図２】
0003177028.tif 000004
(57)【要約】      （修正有）【課題】複数の種類の小物や文房具を卓上のデッドスペースを利用して管理でき、販促効果、宣伝効果を高める事が出来る小物置きを提供する。【解決手段】ポリプロピレンのフィルム材料に、トムソン型で一定の間隔を持たせた２カ所の折り筋をつけ、２カ所の固定用の差し込み穴を設ける。貫通した余地部分を利用して机上のクリップや消しゴムなどの軽量な小物類を配置でき、かつ２カ所の折り筋の折り方によって形状がＬ字から三角形に変化する。【選択図】図１
0003177024.tif 000002
【実用新案登録請求の範囲】
【請求項１】
ポリプロピレンのフィルム材料を用い作成したものに、トムソン型で折り筋やミシン目を施して作成した、パソコンのキーボードとモニターの間に出来るスペースを活用し、キーボードとモニターの組み合わせによって生じる「スペース」の大きさの違いにも対応する事が出来る加工を施した卓上小物置き
【請求項２】
前記の材料に対する印刷は、オフセット印刷を用いて絵や文字、写真などを印刷した請求項１に記載の卓上小物置き。
【考案の詳細な説明】
【技術分野】
【０００１】  本考案は主として、フイルムシート材料に対して多目的に使用できる利便性の高いノベルティー商品に関するものである。
【背景技術】
【０００２】  従来の小物置きは、設置に際してのスペースを卓上に占有し、またパソコン作業時に置いて必ずしも手元に近い場所における訳ではなかった。
【考案が解決しようとする課題】
【０００３】  従来の小物置きは、箱形などの立体物として提供されていたが、本考案は一枚の平面シート組み立てる事によって完成形となり、かつ、デッドスペースとなっていた場所への設置に特化しているので、スペースの占有を解消できる。また、広い平面を持つので広告物などに使用した場合の販促効果の向上が期待できる。
【０００４】  少なからずプラスチック製品は廃棄処理の段階で環境に負荷をかけてしまうという課題を持っているが、本考案である卓上小物置きの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  卓上のスペースの占有を解消するだけではなく、同時に卓上に散らばりやすい小物類や文房具を一カ所で収納できるように、トムソン型により折り筋、ミシン目を施す。また、オフセット印刷を用いてパターン等を印刷することで、共通の材料で多岐にわたる製品のバリエーションを作成することも出来、ノベルティー効果を高めることが出来る。
【考案実施の形態】
【０００６】  図１は本考案の卓上小物置き（１）の視図である。図１で卓上小物置き（１）にはあらかじめトムソン型などで部分的に打ち抜かれた小物を置くスペース（ａ）が施されている。また、設置場所によって高さを調節するための折り筋（ｃ）（ｄ）が設けられている
【０００７】  図２は本考案の卓上小物置き（１）の完成形態のひとつである。図１で卓上小物入れ（１）は１枚のフィルムシートをトムソン型などで用途に合わせた形状に打ち抜き、、設置場所によって高さを調節できるような折り筋（ｃ）、（ｄ）を設けてる。図２は折り筋（ｃ）を山折にして卓上小物入れ（１）を作成した場合の図である
【０００８】  図３は本考案の卓上小物置き（１）の完成形態のひとつである。図１で卓上小物入れ（１）は１枚のフィルムシートをトムソン型などで用途に合わせた形状に打ち抜き、、設置場所によって高さを調節できるような折り筋（ｃ）、（ｄ）を設けてる。図２は折り筋（ｄ）を山折にして卓上小物入れ（１）を作成した場合の図である
【０００９】  この卓上小物置き（１）の材料はシートの素材が光透過性を有する再生樹脂材料もしくはトウモロコシ等から製造されるＰＬＡ《ポリ乳酸》を主原科としたプラスチック材料を使用して環境に優しい商品として作成することもできる。環境に優しい商品として使用する場合、宣伝広告効果を更に高めることができる。
【図面の簡単な説明】
【００１０】
【図１】本考案の卓上小物置きの視図
【図２】図１の卓上小物置きの完成形態のひとつ
【図３】図１の卓上小物置きの完成形態のひとつ
【符号の説明】
【００１１】１  卓上小物置き
ａ  小物を置く場所
ｂ  スリット
ｃ  折り筋
ｄ  折り筋
ｅ  フック部
【図１】
0003177024.tif 000003
【図２】
0003177024.tif 000004
【図３】
0003177024.tif 000005
【手続補正書】
【提出日】平成24年1月18日(2012.1.18)
【手続補正１】
【補正対象書類名】実用新案登録請求の範囲
【補正対象項目名】全文
【補正方法】変更
【補正の内容】
【実用新案登録請求の範囲】
【請求項１】
ポリプロピレンのフィルム材料に、トムソン型で段階的な折り筋や高さの違う固定用の差し込み穴、それに対応するフックなどの高さ調節機能をもたせることで、モニターの種類の違いによって生じる机とモニターとの間の空間の高さの違いに対応する事が出来、空間を有効に利用できる機能を持つ卓上小物置き。
【手続補正書】
【提出日】平成24年4月25日(2012.4.25)
【手続補正１】
【補正対象書類名】実用新案登録請求の範囲
【補正対象項目名】全文
【補正方法】変更
【補正の内容】
【実用新案登録請求の範囲】
【請求項１】
ポリプロピレンのフィルム材料に、トムソン型で一定の間隔を持たせた２カ所の折り筋、また本構造に施した２カ所の固定用の差し込み穴を貫通する事で構造を安定させ、かつ、貫通した余地部分を利用して机上のクリップや消しゴムなどの軽量な小物類を配置できる構造を持ち、かつ２カ所の折り筋の折り方によって形状がＬ字から三角形に変化する事で構造体の机上への設置面積が変化し、それらの特徴が机上の空間を有効に利用できるという機能を持つ事を特徴とする卓上小物置き
(57)【要約】      （修正有）【課題】便所内に保管する予備のトイレットペーパーは、保管する場所や高さが不適当な位置にあり、便所を使用中に予備のペーパーを取り出すことは困難であったことを解消した予備トイレットペ−パー便所内保管装置を提供する。【解決手段】予備トイレットペーパー便所内保管装置を、便器に座った位置から左上部、又は右上部の手の届く位置に縦に４個並べて配し、使用中でも簡単に取り出し可能な位置に保管したことを特徴とする。【選択図】図１
0003177025.tif 000002
【実用新案登録請求の範囲】
【請求項１】
本考案は，トイレットペーパー予備便所内保管装置の本体を，板状（１）の木材を縦にして，一番上部に壁掛け用穴（３）を設け，ペーパー保管棒（２）を縦に並べて取り付けたトイレットペ−パー予備便所内保管装置。
【請求項２】
トイレットペーパー予備便所内保管装置本体及びペーパー保管棒に使用する素材は，木材の他に合成樹脂・金属を使用して，縦にした板状の本体（１）の形状は棒状にする請求項１に記載するトイレットペーパー予備便所内保管装置。
【請求項３】
トイレットペーパー予備便所内保管装置本体に装飾のため，印刷又は， 小動物・魚・人の顔・花の絵柄を貼り付ける請求項１に記載するトイレットペーパー予備便所内保管装置。
【考案の詳細な説明】
【技術分野】
【０００１】
この考案は，トイレットペーパーの予備を便所内に手の届く位置に保管する装置
に関する。
【背景技術】
【０００２】
従来のトイレットペーパーの予備を便所内に保管する位置は，一般的に高い位置にあり，使用中に取出しが困難であった。予備ペーパー保管装置は他にも提案されている。
【先行技術文献】
【特許文献】
【０００３】
【特許文献１】特開２００２−２６３０３３広報
【考案の概要】
【考案が解決しようとする課題】
【０００４】
従来，家庭の便所に予備のトイレットペーパーを保管する場合は，高い位置に棚を作りそこに一定量保管するのは一般的保管方法であった。
しかし， その都度高い棚に手を伸ばすのは，特に子供の場合は大変不便な保管方法であり解決しなければならない課題であった。
【課題を解決するための手段】
【０００５】
課題を解決するため本考案は以下の構成とした。
トイレットペーパーの予備は，便器に座った位置から左上部，又は右上部の手の届く位置に縦に４個並べて保管する装置とした。
【考案の効果】
【０００６】
本考案は，下記の効果を有する。
１．使用中のペーパーがなくなっても，子供や老人でも簡単に予備保管装置から
ペーパーを取り出すことが出来る。
２．時間がかからない。
３．シンプルな構造にしたので邪魔にならない。
４．ペーパー中心部に厚紙の入らない特殊な物でも使用するに当たって支障はない。  
５．便所内は殺風景になりがちなので、装飾を兼ねる。
【図面の簡単な説明】
【０００７】
【図１】本考案の使用斜視図
【図２】本考案の使用正面図
【図３】本考案の正面部分拡大図
【図４】本考案の正面図
【図５】本考案の側面図
【考案を実施するための形態】
【０００８】
本考案の実施形態について説明する。
従来，便所内に予備のトイレットペーパーを保管している位置が高い位置にあり，取出しが困難なため，右上部又は，左上部にフック（３）を掛け，トイレットペーパー予備便所内保管装置本体（１）を縦にして，ペーパー保管棒（２）を設け，縦に配置してトイレットペーパー（４）を差し込むだけで保管し，必要時は直ぐに簡単に取り出せるようにした。
【符号の説明】
【０００９】
１．トイレットペーパー予備便所内保管装置本体
２．ペーパー保管棒
３．壁掛け用穴                      
４．トイレットペーパー 
５．壁
【図１】
0003177025.tif 000003
【図２】
0003177025.tif 000004
【図３】
0003177025.tif 000005
【図４】
0003177025.tif 000006
【図５】
0003177025.tif 000007
【手続補正書】
【提出日】平成24年3月9日(2012.3.9)
【手続補正２】
【補正対象書類名】明細書
【補正対象項目名】０００９
【補正方法】変更
【補正の内容】
【０００９】
１．     
予備トイレットペーパーの便所内保管装置本体
２．     
ペーパー保管棒
３．     
壁掛け用穴
４．     
トイレットペーパー
５．     
壁
【手続補正３】
【補正対象書類名】実用新案登録請求の範囲
【補正対象項目名】全文
【補正方法】変更
【補正の内容】
【実用新案登録請求の範囲】
【請求項１】
縦に配置される板状又は棒状の木材である本体（１）の一番上部に壁掛け用穴（３）を設け、前記本体（１）にペーパー保管棒（２）を縦に並べて取り付けた予備トイレットペーパーの便所内保管装置。
【請求項２】
本体（１）及びペーパー保管棒（２）の素材は、木材に代えて合成樹脂又は金属を使用することを特徴とする、請求項に記載の予備トイレットペーパーの便所内保管装置。
【請求項３】
本体（１）の表面装飾のため、
小動物，魚，人の顔，花の全ての絵柄を貼り付けることを特徴とする、請求項に記載の予備トイレットペーパーの便所内保管装置。
【手続補正書】
【提出日】平成24年5月1日(2012.5.1)
【手続補正１】
【補正対象書類名】実用新案登録請求の範囲
【補正対象項目名】全文
【補正方法】変更
【補正の内容】
【実用新案登録請求の範囲】
【請求項１】
縦に配置される板状又は棒状の木材である本体（１）の一番上部に壁掛け用穴（３）を設
け、前記本体（１）にペーパー保管棒（２）を縦に並べて取り付けた予備トイレットペー
パーの便所内保管装置。
【請求項２】
本体（１）及びペーパー保管棒（２）の素材は、木材に代えて合成樹脂又は金属を使用す
ることを特徴とする、請求項１に記載の予備トイレットペーパーの便所内保管装置。
【請求項３】
本体（１）の表面装飾のため、 小動物，魚，人の顔，花の全ての絵柄を貼り付けること
を特徴とする、請求項１に記載の予備トイレットペーパーの便所内保管装置。
(57)【要約】      （修正有）【課題】領収書と出金伝票の一体化が図れ、主に中小零細企業向けの経理処理の合理化と伝票コストの削減を図ることができる会計処理用スタンプを提供する。【解決手段】出金伝票に必要な情報を左右逆転して彫り入れて、スタンプ版とする。【選択図】図１
0003177043.tif 000002
【実用新案登録請求の範囲】
【請求項１】
出金伝票に少なくとも支払先の名称、支払い内訳の摘要及び支払い金額を印字できる会計処理用スタンプ。
【考案の詳細な説明】
【技術分野】
【０００１】  本考案は、領収書の精算時に出金伝票を不要とし領収書と出金伝票の一体化を図るために出金伝票に必要な情報を印字できる会計処理用のスタンプに関する考案である。
【背景技術】
【０００２】  従来は領収書精算時に出金伝票が経理上必要であり、種々の様式のものがあった。特開２００３−２２０７７７には領収書と出金伝票を兼ねた会計伝票が開示されている。この場合には、重複した記載をできるだけ回避するようにして、記載事項の不整合をなくすとともに、転記による時間の無駄を無くし、領収書とこれに対応する出金伝票または振替伝票とを探して照合する必要がないという利点があるが、領収書兼会計伝票を別途必要になる。
【先行技術文献】
【特許文献】
【０００３】
【特許文献１】  特開平２００３−２２０７７７号公報
【考案の概要】
【考案が解決しようとする課題】
【０００４】  本考案は、以上のような従来の欠点に鑑み、別途伝票を必要とせずに、同等な効果を得ることを可能とする会計処理用スタンプを提供する事を目的としている。
【課題を解決するための手段】
【０００５】  上記目的を達成するために、本考案は、出金伝票に必要な情報を印字できる会計処理用のスタンプであって、領収書裏面に押印できる出金伝票スタンプを提供する。
【考案の効果】
【０００６】  以上の説明から明らかなように、本考案にあっては領収書裏面に出金伝票形式のスタンプを押印することによって別紙出金伝票を不要とし、主に中小零細企業向けの経理処理の合理化と伝票コストの削減を図ることができる。
【図面の簡単な説明】
【０００７】
【図１】本考案を実施するための出金伝票スタンプから印字される伝票情報実施例１の全体図。
【図２】本考案を実施するための出金伝票スタンプから印字される伝票情報実施例２の全体図
【図３】実施例１の内容を印字させるための本考案のスタンプ版の図である。
【図４】実施例２の内容を印字させるための本考案のスタンプ版の図である。
【考案を実施するための形態】
【０００８】  以下、本考案の実施の形態を図に基づいて説明する。図３及び図４に示したように、スタンプには左右逆転の情報を彫り入れることによりスタンプ版を作成して実施される。
【実施例１】
【０００９】  図１は、本考案の実施例１のスタンプに盛り込む出金伝票の情報の例である。
【実施例２】
【００１０】  図２は、本考案の実施例２のスタンプに盛り込む出金伝票の情報の例である。
【産業上の利用可能性】
【００１１】  本考案の出金伝票の情報を印字できるゴム印、あるいはスタンプ印などの既存の簡易な印字媒体として製造販売することができる。
【符号の説明】
【００１２】  １  スタンプ全体
２  出金伝票
３  伝票ＮＯ．記入欄
４  日付記入欄
５  勘定科目記入欄
６  支払先名称記入欄
７  支払い内訳の摘要記入欄
８  金額記入欄
９  合計欄
１０  合計金額記入欄
１１  担当者印、承認印押印欄
【図１】
0003177043.tif 000003
【図２】
0003177043.tif 000004
【図３】
0003177043.tif 000005
【図４】
0003177043.tif 000006
(57)【要約】【課題】  服用時間を絵や写真などで表示し、弱視の方や軽度の認知症の方でも、視覚的、かつ、直感的に時刻を判断することができ、正しく服用できる薬ケースを提供すること。【解決手段】  ケース本体の薬収納部には仕切り板によって、少なくとも朝用、昼用、夜用の複数の薬収納室を分割して設け、一方、蓋体の内面には、蓋体を開けたとき、前記朝、昼、夜の薬収納室に対応する位置に、朝、昼、夜を表す絵、又は写真を表示、又は添付するようにしたもの。【選択図】図１
0003177042.tif 000002
【実用新案登録請求の範囲】
【請求項１】
合成樹脂等でなされ薬を収納するケース本体と、このケース本体の後方にヒンジ機構などによって回転自在に設けられた蓋体とで構成される薬ケースにおいて、
ケース本体の薬収納部には仕切り板によって、少なくとも朝用、昼用、夜用の複数の薬収納室を分割して設け、一方、蓋体の内面には、蓋体を開けたとき、前記朝、昼、夜の薬収納室に対応する位置に、朝、昼、夜を表す絵、又は写真を表示、又は添付したものである薬ケース。
【考案の詳細な説明】
【技術分野】
【０００１】  本考案は薬ケースに関し、特に、朝、昼、夜に、正しく服用できるように改良した薬ケースに関するものである。
【背景技術】
【０００２】  病気を治すために種々の薬が病人に処方されているが、複数の病気を抱えている病人や高齢者に対しては多くの種類の薬が処方されている。
処方される薬は、普通の場合、朝、昼、夜と服用時間が指定されているので、指定時間に正しく服用することが患者に求められる。【０００３】  正しく服用しないと、病気が治癒しないばかりか、返って悪化したり、又、間違った組み合わせ服用によっては体に異常をきたすことが報告されている。
病院や医療機関で正しい服用時刻や方法を指示しても、患者が正しく服用しなければ意味の無いものとなっている。
そのため薬の種類に応じて服用時間を文字で表示した薬ケースが提案されている。
次に掲げた先行技術文献もその一例である。
【先行技術文献】
【特許文献】
【０００４】
【特許文献１】登録実用新案第３０６１７８９号公報
【特許文献２】登録実用新案第３１１１５９７号公報
【考案の概要】
【考案が解決しようとする課題】
【０００５】  前記両先行技術文献には、薬ケースの引出しの前面に薬の服用時間、すなわち、朝、昼、晩を示す文字を表記した考案が記載されている。
しかし、文字だけでの表示では、目が不自由で良く見えない方や認知症の方にとっては、時間を直感的に理解できず、服用時間を間違いやすいものであり、正しく服用するには未だ充全とはいえないものであった。【０００６】  そこで本考案は、服用時間を絵や写真などで表示し、弱視の方や軽度の認知症の方でも、視覚的、かつ、直感的に時刻を判断することができ、正しく服用できる薬ケースを提供することを目的としてなされたものである。
【課題を解決するための手段】
【０００７】  前記目的を達成するために本考案は、合成樹脂等でなされ薬を収納するケース本体と、このケース本体の後方にヒンジ機構などによって回転自在に設けられた蓋体とで構成される薬ケースにおいて、ケース本体の薬収納部には仕切り板によって、少なくとも朝用、昼用、夜用の複数の薬収納室を分割して設け、一方、蓋体の内面には、蓋体を開けたとき、前記朝、昼、夜の薬収納室に対応する位置に、朝、昼、夜を表す絵、又は写真を表示、又は添付して薬ケースを構成したものである。
【考案の効果】
【０００８】  前記のように本考案は、服用時刻を絵や写真などで表示するように構成したので、弱視の方や軽度の認知症の方でも、視覚的、且つ、直感的に時刻を認知できるようになり、結果的に正しい時間に正しく服用できる薬ケースを提供することができるものである。
【図面の簡単な説明】
【０００９】
【図１】本考案の一実施例を示す薬ケースの斜視図である。
【考案を実施するための形態】
【実施例】
【００１０】  以下、本考案の一実施例の構成を図面を参照しながら説明する。
図において、１は、薬を収納するケース本体で、このケース本体１の後方上端には蓋体２がヒンジ３にて回転自在に設けられている。ヒンジ３は、図示のように、蓋体２の下端両側に突設した軸をケース本体１に穿設した穴に回転自在に挿入することによってヒンジ機構を構成する。
前記ケース本体１と蓋体２は、透明、不透明の合成樹脂や木材などで形成されるが、特に材料は問わない。【００１１】  ケース本体１の薬収納部４の内部空間は、仕切り板４１、４２によって３つの薬収納室４３、４４、４５に分割されている。薬収納室４３には朝に服用する薬、薬収納室４４には昼に服用する薬、薬収納室４５には夜に服用する薬を収納する。
本考案の一実施例では、３つの薬収納室としたものであるが、これ以外に共通の薬や小物などを収納する収納室を追加設けても良い。
又、これら複数の薬収納室は、それぞれ単独にスライド可能な引出しで構成しても良いものである。【００１２】  ５は、蓋体２を閉じたときの下面、すなわち開いたときの正面に表示された絵表示部であり、左に、朝を表す「日の出」の絵、中央に、昼を表す「光り輝く太陽」の絵、右に、夜を表す「月と星」の絵を表示している。
この表示は、前記朝、昼、夜に分けて薬を収納してある薬収納室４１，４２，４３にそれぞれ対応させて位置させており、この絵により視覚的に服用する時刻を正しく認識することができるようにしたものである。【００１３】  当考案者が、前記絵に彩色を施したところ、視覚的に顕著に時間を区別して認識できるとのことで、非常に好評であった。
又、更に、使用者の好みに応じた写真を張り付けて時刻を区別し、認識するようにすることも使用者には好評であった。いずれにしても彩色を施すことは識別性という観点では効果が大きいことが確認できた。【００１４】  ６は、文字表記「朝」、「昼」、「夜」の文字表記部であり、絵表示に加えて補助的に併用している例を示している。又、この部分は、具体的に時間が定められているのであれば、朝８時とか９時とかを表示するように使用すればよい。【００１５】  ７は、蓋体２の上端に形設した係止片、８は、この係止片６と着脱自在に係止するケース本体１に設けた長穴状の係止穴である。【００１６】  本考案はこのように構成されているので前述の効果を達成することができ、病人や患者が医師などに指示された時刻に正しく服用することができる薬ケースを提供することができたものである。
【符号の説明】
【００１７】１…ケース本体、２…蓋体、３…ヒンジ、４…薬収納部、４１，４２…仕切り板、
４３，４４，４５…薬収納室、５…絵表示部、６…文字表示部、７…係止片、
８…係止穴。
【図１】
0003177042.tif 000003
(57)【要約】【課題】ドライフラワーや造花、人形、木の実、石、パール、籐製品等の装飾品などの色や形を出来るだけ長期に保ったりする為に、容器の内部に収納して飾り、室内の飾る場所や，置き方の多様性を持たせたインテリア用品を提供する。【解決手段】二枚の透明もしくは半透明な板と、平面または曲面等の組み合わせから空間を構成してなる置物状の空間内側に装飾品を固定する。【選択図】図３
0003177049.tif 000002
【実用新案登録請求の範囲】
【請求項１】
対抗する一対の板状部材と、該板状部材で囲まれた空間に配置される柱状部材で形成され、少なくとも板状部材の１枚が透明もしくは半透明であり、かつ、板状部材の一方が他方よりも垂直方向に頭頂部までの距離が長径となし、前記板状部材の一方を正面として水平面に置くと空間３に入る飾り物が斜め上方を向く飾り物用容器。
【請求項２】
裏側の板の設置面に形状の違うガラスを用い、正面が最適な角度になるよう取り付けた請求項１記載の飾り物用容器。
【考案の詳細な説明】
【技術分野】
【０００１】この考案はそのまま置く事が不適当な造花や宝飾品等を内部に収納して、棚やテーブル等の任意の場所に置いて楽しめるインテリア用品とする。
【背景技術】
【０００２】従来の容器型インテリア用品はいわゆる花瓶の内部に装飾品を入れただけであったり、単純な形のものが多く一か所だけに蓋をするという単調な形のものであって、デザイン性の優れたものはほとんどなかった。
【先行技術文献】
【特許文献】
【０００３】
【特許文献１】実用新案登録第３１２３８４３
【考案の開示】
【考案が解決しようとする課題】
【０００４】本考案は、容器そのものがデザイン性にすぐれ、かつ安定していて内部に収納している装飾品をよりきれいに効果的に見せる為に、置き方を工夫するなどによって同一のインテリア用品が多様に使用できるようにしたものである。【０００５】この考案は、従来のガラスの容器形状とは違ってサイズが違う２枚の板を表面と裏面に平行に配置して該２面に挟まれる間（内部）に空間３を作り出すようにして、密閉するか或いは一部が開放される様に空間３を作り出した容器状であるので、表面や背面いずれの側から見たときにも位置がずれないように、装飾品がおさまるように配置する事が重要である。【０００６】たとえば透明な同一のアーチ形のガラスの板の間に、丸い円筒状のガラスを挟んだ容器を作り机の上に載置出来るようにする。これは空間３が密封されたものとなるので、丸い円筒状のガラスの縁になる部分（円筒の上面と下面）は研磨して表面を滑らかにしたものを用いる。【０００７】空間３は密閉されているので、内部に飾る花は汚れずらいので、開放空間のものより長期に保存することが出来る。【０００８】２枚の同一形状の板の材質は、少なくともその１枚がプラスチック、ガラス、その他の透明若しくは半透明のものが使える。又外観の多様性を持たせる為に、表面に凹凸の模様をつけたり、印刷を施したり、或いは着色が施されているものなども使用できる。【０００９】さらに同一形状からなる２枚の板の形は、丸型、ひし形、四角、八角、五画などの多角形、曲線を帯びた形など、いかなる形状であっても用いることが出来る。【００１０】空間３の内部に挿入される装飾品の材料としては、ドライフラワーや造花などや、リボン、石、木の実、人形、工芸品など装飾性の高いものを任意に用いることができる。
特に空間３が密閉空間である場合には、水分を含んでいないものの方が好ましい。【００１１】又台座を空間３の内部に装着しても良く、該台座を設ける場合には、乾燥剤などの必要な機能を有する薬剤などを入れる為の空間を設けることも出来る。【００１２】従って本考案の装飾品は、インテリア用品として机の上や家具の上に載置することが出来る。また、立てたり寝かせたりして使っても良い。【００１３】以下、本考案を図示例に基づいて説明すると次の通りである。
本考案は、２枚の板においては多角形、丸型、半円形、半月形、扇型の形などが考えられる。それも少なくても設置分の一部分が平行に固定され、また中の装飾部分も飾り付ける容器においては、丸型、箱型、多角形、曲線を帯びた四角形などがある。
【実施例１】
【００１４】図３に示すように、アーチ形の透明な板１のサイズより大きい板２の内面になる側に内部に納める装飾品５を任意の方法で固定しておく。次に、透明の材質であっても板１のサイズより大きい板２を平行に置き、板１に固定した装飾品が内部に納まるように、透明な円筒３を板１と板２それぞれ貼り合せて、内部に装飾品５を固定した密閉空間３をつくる。
【実施例２】
【００１５】実施例１において、容器の中に花受台を装着し、該花受台の中には花を長期間保存できるように乾燥剤を花受け台の下側に取り付けた。
【図面の簡単な説明】
【００１６】
【図１】本考案の一例を示すもので、内部に装飾品を入れないものの、斜視図を表す。
【図２】図１の側面図。
【図３】図１の内部に装飾品４としてドライフラワーを固定した完成品の一例。
【図４】請求項２の例を示すもので、内部に装飾品を入れないものの、斜視図を表す。
【図５】図４の側面図。
【図６】図４の内部に装飾品５としてドライフラワーを固定した完成品の一例。
【符号の説明】
【００１７】１は透明な板。
２は１より大きい透明な板
３は透明な板１，２ともに内部に空間を作り出すための円筒。
４は３を密閉する透明な板。
５は内部に固定される装飾品。
６は請求項２の背面につく足。
【図１】
0003177049.tif 000003
【図２】
0003177049.tif 000004
【図３】
0003177049.tif 000005
【図４】
0003177049.tif 000006
【図５】
0003177049.tif 000007
【図６】
0003177049.tif 000008
(57)【要約】      （修正有）【課題】災害時に、確実に身体を防御しながら同時に飲料水を持ち出せ、避難所では軽負担で大量の水を運搬できるウォータージャケットを提供する。【解決手段】災害時に内部を水で充填した複数のビニール袋により構成される。袋は伸縮性を有する部材からなり、袋同士はバネ部材で連結される。【選択図】図１
0003177040.tif 000002
【実用新案登録請求の範囲】
【請求項１】
内部に水を充填するする１個以上の袋から構成したことを特徴とするウォータージャケット。
【請求項２】
上記袋が伸縮性を有する部材からなる事を特徴とする請求項１に記載のウォータージャケット。
【請求項３】
上記１個以上の袋同士をバネ部材で連結した事を特徴とする請求項１記載のウォータージャケット。
【考案の詳細な説明】
【技術分野】
【０００１】  本考案は、災害時において避難する際の身体の安全性の確保、避難所での飲料水の確保、水を大量に運ぶ際の利便性に関する。
【背景技術】  従来には、ジャケットの中に空気を充満させ、衝撃から身体を防禦する物があり、水の運搬に関しては、背中に水を背負う物がある。【０００２】
【先行技術文献】
【特許文献】
【０００３】
【特許文献１】特開２００２−５３８４０５号公報
【０００４】
【特許文献２】特開２００４−４１３９２号公報
【特許文献３】特開２００８−２２３２０６号公報
【考案の概要】
【考案が解決しようとする課題】
【０００５】  災害時に避難する際に、ジャケットで身体を防御すると同時に、飲料水を確実に持ち出せるようにすると共に、避難先での負担を軽減した水の運搬を実現させるウォータージャケットを提供する。
【課題を解決するための手段】
【０００６】本考案は、内部に水を充填する１個以上の袋から構成したことを特徴とするウォータージャケットで、必要があれば、袋を伸縮性を有する部材（ゴム製）で製作し、水排水時にはゴム袋が収縮することでウォータージャケットをコンパクトに収納でき、水注水時には逆にゴム袋が伸びて、大量の水が充填できるようにすることもできる。更には、複数個の袋同士をバネ部材で連結して可動性を持たせるようにしても良い。
【考案の効果】
【０００７】  上記構成のウォータージャケットを、災害時に避難する際、着用する事により、水の干渉力により落下物や障害物から身体を防御すると同時に、ウォータージャケット内の水は、避難先で飲料水として活用できるので、ウォータージャケットを着用し避難する事自体が、大量の水を軽負担で運搬できるので、飲料水を確実に避難先に持ち出すことが可能になる。また、避難先で、水洗トイレの貯水タンクに水を補充するなどの際に、水を大量に運搬する必要がある場合、水が充填されたウォータージャケットを着用し、階段などを移動すれば、身体への負担も軽減されながら水を運搬でき、両手も自由に使え安全である。
更に、避難先で、ウォータージャケットを、着用したまま就寝する事により、内部の水がクッションとなり、快適な寝心地が得られる。
袋をゴム製にする事により、水を排水した場合はゴム袋が収縮するためウォータージャケットをコンパクトに収納でき、水を注水した場合はゴム袋が伸びるため、大量の水が充填できる。加えて、袋同士をバネ部材で連結する事によりウォータージャケットに、身体の動きに合わせた可動性を持たせることもできる。
【図面の簡単な説明】
【０００８】
【図１】本考案に係わる実施例のウォータージャケットを示す斜視図である。
【図２】ウォータージャケットを着用し、身体を防御しながら避難している様子を示す説明図である。
【図３】避難先で、ストローを使用し、ウォータージャケット内部の水を飲んでいる様子を示す説明図である。
【図４】避難先でウォータージャケットを着用する事により、階段でも軽負担で水を運搬し、水洗トイレの貯水タンクにストロー３を使用して水を補充している様子を示す説明図である。
【図５】避難先で、ウォータージャケットを着用したまま就寝する事により、水をクッションにし、寝心地の快適さを得ている様子を示す説明図である。
【考案を実施するための形態】
【０００９】  本考案に係わる実施例を図１から図５を参照して以下説明する。
【実施例】
【００１０】  図１（ａ）は、本考案に係わる実施例を示す斜視図で、図示省略の水を充填するビニール袋１を複数個組合せて、ウォータージャケット１０を構成した様子を図示している。図１（ｂ）は、図１（ａ）のＡ部拡大図で、図１（ｂ）に図示するように、複数個のビニール袋１同士を、バネ部材６で連結し、可動性を持たせる事により、体幹の動きや肘関節のように可動域の大きい部分にも対応できる。本実施例ではビニール袋１を用いているが、必要に応じて伸縮性のあるゴム製の袋などを用いてもよい。
図２は、ウォータージャケット１０を着用し、災害時に避難しているところを示す。水は干渉力が強いため、ウォータージャケット１０の本体部分では体幹、上肢を、フード部分では頭部を、落下物、障害物から防御できる様子を図示している。
図３は、ストロー３をウォータージャケット１０を構成するビニール袋１に開けてある注水・排水口２〔通常はスクリューキャップで閉鎖してある〕にセットし、ウォータージャケット１０内部の水を飲んでいるところを示す。ウォータージャケット１０は、水を充填したビニール袋１を複数組み合わせで構成されているので、必要な分だけを小分けにして、水を飲む事ができる様子を図示している。
図４（ａ）は、水が充填されたウォータージャケット１０を着用して、階段４を昇りながら水を運搬している様子を示し、図４（ｂ）は水洗トイレの貯水タンク５にストロー３を使用して水を補充している様子を示している。水の注水・排水は上記の注水・排水口２により行う。ウォータージャケット１０を着ることにより、水の入ったタンクなどを手で持ったり、背負ったりするよりも軽負担で水を運搬でき、両手も自由に使用でき安全である。
図５は、ウォータージャケット１０を着用したまま就寝している様子を示し、ウォータージャケット１０の内部の水がクッション替わりになり、快適な寝心地が得られる。避難先では、ストレスが多いと思われるので、快適な睡眠が重要となってくる。
【産業上の利用可能性】
【００１１】  災害の際の避難時に身体の防御をしながら、同時に飲料水を持ち出せるウォータージャケットは、非常用持ち出し袋の性質を持つものであり、防災意識が高まる中、需要が見込まれ、産業上の利用可能性が高いと思われる。
【符号の説明】
【００１２】  １・・・水を充填するビニール袋
２・・・注水、排水口
３・・・ストロー
４・・・階段
５・・・貯水タンク
６・・・バネ部材（スプリング）
１０・・・ウォータージャケット
【図１】
0003177040.tif 000003
【図２】
0003177040.tif 000004
【図３】
0003177040.tif 000005
【図４】
0003177040.tif 000006
【図５】
0003177040.tif 000007